(57)【要約】【課題】ＡＣアダプタ装置の有効利用を図り、未使用時のバッテリーとホルダカバーの紛失を防ぐこと、更には使用時のＡＣアダプタ装置における接続コードの引っ掛かりによる断線を防止すること。【解決手段】本発明のＡＣアダプタ装置１は、バッテリー３０とホルダカバー３１を選択して取り付けることができるホルダ部３２を備えた電子機器に対して接続でき、ホルダ部３２と同形状、同サイズのホルダ機能部が設けられている。またＡＣアダプタ装置１にはホルダ部３２に取り付けることができるホルダカバー機能が付加されている。【選択図】図９
2007276236.tif 000002
【特許請求の範囲】
【請求項１】
バッテリーとホルダカバーを選択して取り付けることができるホルダ部を備えた電子機器に対して適用されるＡＣアダプタ装置であって、
前記ＡＣアダプタ装置は、前記ホルダ部と同形状、同サイズで同機能をするホルダ機能部を備えていることを特徴とするＡＣアダプタ装置。
【請求項２】
請求項１に記載のＡＣアダプタ装置において、前記ＡＣアダプタ装置は、前記ホルダ機能部にバッテリーを装着した状態でバッテリーの充電を行うことができるバッテリーチャージ機能が付加されていることを特徴とするＡＣアダプタ装置。
【請求項３】
バッテリーとホルダカバーを選択して取り付けることができるホルダ部を備えた電子機器に対して適用されるＡＣアダプタ装置であって、
前記ＡＣアダプタ装置は、前記ホルダ部に取り付け可能に構成されてホルダカバーを兼ねるように構成されていることを特徴とするＡＣアダプタ装置。
【請求項４】
請求項３に記載のＡＣアダプタ装置において、前記ＡＣアダプタ装置は、前記ホルダ部に取り付けることによって自動的に当該ホルダ部を備えた電子機器と電気的に接続されるコネクタを備えていることを特徴とするＡＣアダプタ装置。
【請求項５】
バッテリーとホルダカバーを選択して取り付けることができるホルダ部を備え、ＡＣアダプタ装置が接続可能な記録装置であって、
前記ＡＣアダプタ装置は請求項１〜４のいずれか１項に記載したＡＣアダプタ装置であることを特徴とする記録装置。
【請求項６】
バッテリーとホルダカバーを選択して取り付けることができるホルダ部を備え、ＡＣアダプタ装置が接続可能な液体噴射装置であって、
前記ＡＣアダプタ装置は、前記ホルダ部と同形状、同サイズで同機能をするホルダ機能部を備えていることを特徴とする液体噴射装置。
【発明の詳細な説明】
【技術分野】
【０００１】
本発明は、バッテリーとホルダカバーを選択して取り付けることができるホルダ部を備えた電子機器に対して適用されるＡＣアダプタ装置及び該ＡＣアダプタ装置が接続可能な記録装置に関する。  
更に本発明は、インク等の液体をそのヘッドから吐出（噴射）して被記録材（被液体噴射材）に記録を実行する（液体を付着する）インクジェット式記録装置などの液体噴射装置及び該液体噴射装置に対して接続されるＡＣアダプタ装置に関するものである。
【０００２】
ここで液体噴射装置とは、インクジェット式記録ヘッドが用いられ、該記録ヘッドからインクを吐出して被記録材に記録を行なうプリンタ、プロッタ、複写機及びファクシミリ等の記録装置に限らず、インクに代えてその用途に対応する液体を前記記録ヘッドに相当する液体噴射ヘッドから被記録材に相当する被液体噴射材に噴射して、前記液体を前記被液体噴射材に付着させる装置を含む意味で用いる。  
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００３】
持ち運びが可能なポータブルタイプの電子機器には下記特許文献１に示すようにバッテリーを取り付けることができるホルダ部が設けられている。また、該ホルダ部にはホルダカバーを取り付けることができ、バッテリーを使用しない場合にはホルダ部からバッテリーを取り外してホルダカバーによって開放されたホルダ部のバッテリー収容空間を覆って保護している。しかし、バッテリーを取り外した状態が長く続くと、取り外したバッテリーの置き場所が分からなくなって、いざバッテリーを使おうと思ってもバッテリーが見当たらないということがある。
【０００４】
同様に、バッテリーばかりを使用している場合には、ホルダカバーは常時取り外されており、取り外したホルダカバーの置き場所が分からなくなって、いざホルダカバーを使おうと思ってもホルダカバーが見当たらないということがある。また、取り外したホルダカバーが床等、足の踏み場に落ちて入れば破損のおそれもあるし、取り外したホルダカバーの存在を知らない人が当該ホルダカバーを見つけても何のカバーか分からず、必要ないと判断すれば廃棄されるおそれもある。
【０００５】
また、このようなポータブルタイプの電子機器には、室内の決まった場所に設置して使用する場合に便利なようにＡＣアダプタ装置が接続できる機能が付加されている。しかし、ＡＣアダプタ装置には当該電子機器を家庭用の交流電源で動作できるようにする機能のみが搭載されているだけであり、それ以上の工夫はなされていなかった。また、ＡＣアダプタ装置を電子機器に接続する場合には、ＡＣアダプタ装置から延びている２次側の接続コードの先端に取り付けられている小さな接続プラグを電子機器側に設けられている小さな電源ジャックに挿し込まれなければならず煩わしい作業になっていた。また上記接続コードは線径が細く、何かに引っ掛かることによって容易に断線してしまうため、接続コードの取り扱いには慎重を期す必要があった。
【０００６】
【特許文献１】特開２００２−０１９２２９号公報
【発明の開示】
【発明が解決しようとする課題】
【０００７】
本発明は、このような問題点の存在を踏まえてなされたものであって、従来室内で家庭用の交流電源を使用する場合以外は全く使用されていなかったＡＣアダプタ装置に対して別途の機能を付加することによって、ＡＣアダプタ装置の有効利用を図り、同時に電子機器から取り外された状態のバッテリー及びホルダカバーの紛失を防ぐことのできるＡＣアダプタ装置を提供することを目的とする。  
更に、使用時のＡＣアダプタ装置の接続コードの引っ掛かりによる断線を防止するようにしたＡＣアダプタ装置を提供することを目的とする。  
更に、前記ＡＣアダプタ装置が接続可能な記録装置および液体噴射装置を提供することを目的とする。
【課題を解決するための手段】
【０００８】
上記目的を解決するために、本発明の第１の態様に係るＡＣアダプタ装置は、バッテリーとホルダカバーを選択して取り付けることができるホルダ部を備えた電子機器に対して適用されるＡＣアダプタ装置であって、前記ＡＣアダプタ装置は、前記ホルダ部と同形状、同サイズで同機能をするホルダ機能部を備えていることを特徴とするものである。
【０００９】
本発明の第１の態様によれば、未使用のバッテリーないしホルダカバーは、ＡＣアダプタ装置の有するホルダ機能部を利用して該ＡＣアダプタ装置に取り付けておくことが可能になる。従って、電子機器から取り外したバッテリー及びホルダカバーの紛失が防止される。
【００１０】
本発明の第２の態様に係るＡＣアダプタ装置は、前記第１の態様において、前記ＡＣアダプタ装置は、前記ホルダ機能部にバッテリーを装着した状態でバッテリーの充電を行うことができるバッテリーチャージ機能が付加されていることを特徴とするものである。
【００１１】
本発明の第２の態様によれば、未使用のバッテリーは、ＡＣアダプタ装置に取り付けておくことによって紛失が防止されると同時に充電が行われるから、使用時には即座にフル充電のバッテリーを取り出して使用することが可能となる。
【００１２】
本発明の第３の態様に係るＡＣアダプタ装置は、バッテリーとホルダカバーを選択して取り付けることができるホルダ部を備えた電子機器に対して適用されるＡＣアダプタ装置であって、前記ＡＣアダプタ装置は、前記ホルダ部に取り付け可能に構成されてホルダカバーを兼ねるように構成されていることを特徴とするものである。
【００１３】
本発明の第３の態様によれば、ＡＣアダプタ装置自体をホルダカバーとして使用することができるから、ホルダカバーを省略して部品点数を減らすことが可能になる。また、ＡＣアダプタ装置をホルダ部に取り付けておけば、ＡＣアダプタ装置が床等に放置しておいた場合に生ずる接続コードの引っ掛かりによる断線が防止される。
【００１４】
本発明の第４の態様に係るＡＣアダプタ装置は、前記第３の態様において、前記ＡＣアダプタ装置は、前記ホルダ部に取り付けることによって自動的に当該ホルダ部を備えた電子機器と電気的に接続されるコネクタを備えていることを特徴とするものである。
【００１５】
本発明の第４の態様によれば、２次側の接続コード先端に取り付けられている接続プラグを電子機器の電源ジャックに挿し込むという煩わしい接続作業が不要になる。また、コネクタの採用によって２次側の接続コードは不要になるから２次側の接続コードの断線も必然的に防止される。
【００１６】
本発明の第５の態様に係る記録装置は、バッテリーとホルダカバーを選択して取り付けることができるホルダ部を備え、ＡＣアダプタ装置が接続可能な記録装置であって、前記ＡＣアダプタ装置は前記第１の態様から第４の態様のいずれかに記載のＡＣアダプタ装置であることを特徴とするものである。
【００１７】
本発明の第５の態様によれば、ＡＣアダプタ装置の有効利用を通じて部品点数の削減を図ることができ、同時に記録装置から外した状態のバッテリー及びホルダカバーの紛失を防止することが可能となる。また、ＡＣアダプタ装置の接続コードの引っ掛かりによる断線も防止される。そして、これらが相乗的に作用することによって取り扱いが容易で、バッテリー、ホルダカバー及びＡＣアダプタ装置の保管性に優れた記録装置を提供することが可能になる。
【００１８】
本発明の第６の態様に係る液体噴射装置は、バッテリーとホルダカバーを選択して取り付けることができるホルダ部を備え、ＡＣアダプタ装置が接続可能な液体噴射装置であって、前記ＡＣアダプタ装置は、前記ホルダ部と同形状、同サイズで同機能をするホルダ機能部を備えていることを特徴とするものである。
【発明を実施するための最良の形態】
【００１９】
以下、本願発明に係るＡＣアダプタ装置及び該ＡＣアダプタ装置が接続可能な液体噴射装置の一例である記録装置について説明する。最初に本願発明の液体噴射装置、そしてその一例である記録装置を実施するための最良の形態としてインクジェットプリンタ１００を採り上げて、その全体構成の概略を図面に基づいて説明する。
【００２０】
図１は使用時のインクジェットプリンタの外観を示す斜め前方からの斜視図、図２は持ち運び時のインクジェットプリンタの外観を示す斜め前方からの斜視図である。図３はバッテリーを装着したインクジェットプリンタの外観を示す斜め後方からの斜視図、図４はＣＤドライブを搭載したインクジェットプリンタを示すカバー部材を閉じた状態の斜め前方からの斜視図である。また図５は角度調整可能な液晶モニタを搭載したインクジェットプリンタの操作パネルとカバー部材を示す斜め前方からの斜視図、図６は同上、斜め後方からの斜視図である。
【００２１】
尚、ここで説明するインクジェットプリンタ１００は、例えば４×６インチ以下の被液体噴射材の一例である被記録材Ｐ（以下単に用紙Ｐともいう）を対象にした極めてコンパクトで持ち運びが容易な比較的シンプルな構造のインクジェットプリンタである。また、このインクジェットプリンタ１００は、パーソナルコンピュータに接続しなくても直接用紙Ｐに記録の実行ができる、いわゆるダイレクトプリンタと呼ばれているタイプのインクジェットプリンタである。
【００２２】
このインクジェットプリンタ１００は、図１、図２に示すような角箱状の本体ケーシング３を備えている。本体ケーシング３は、該本体ケーシング３の前面、後面、左右の側面及び底面を閉塞する深底容器状のハウジング本体４と、図２に示す持ち運び時の状態では本体ケーシング３の上面を閉塞し、図１に示す使用時の状態では給送用トレイ５の上方に張り出した用紙Ｐの上辺部を支えるペーパーサポートとしても機能するカバー部材６と、図２に示す持ち運び時の状態において上記カバー部材６の下方に位置し、ハウジング本体４の上部開口を閉塞する操作パネル７と、上記ハウジング本体４の前面の一部を開口し、当該前面開口を閉塞するように開閉自在に設けられる前面カバーを兼ねた排出用スタッカ８と、上記ハウジング本体４の左右の側面に対して回動可能な状態で接続される門型をした手提げハンドル９とを備えている。
【００２３】
また、図３、図７に示すように、上記本体ケーシング３の後面には後述するバッテリー３０とホルダカバー３１を選択して取り付けることができるホルダ部３２が設けられている。更に、上記本体ケーシング３の下方には、図４に示すようにＣＤドライブ２１を取り付けることができ、後述するメモリーカード等から取り込んだ画像等のデータをＣＤ―Ｒ等に保存したり、ＣＤ―Ｒ等に保存された画像等のデータを読み込んで記録の実行ができるようになっている。尚、本体ケーシング３に対してＣＤドライブ２１等の外部付属装置が取り付けられたインクジェットプリンタを上記インクジェットプリンタ１００と区別して使用する場合にはインクジェットプリンタ２００として別の符号を付して識別する。
【００２４】
そして、上記操作パネル７上には、複数の窓部１０ａ、１０ｂ、１０ｃ、・・・１０ｎが設けられており（図５、図６）、中央の大きな窓部１０ａには液晶モニタ１１、他の窓部１０ｂ、１０ｃ、・・・１０ｎには各種の操作ボタン１２ａ、１２ｂ、１２ｃ、・・・１２ｎがそれぞれ下方から上方に向けて突出するように取り付けられている。また、操作パネル７の後部の中央部は、大きく矩形状に切り欠かれた形状であり、該矩形状部分が自動給送ユニット２に対して用紙Ｐを供給するための給送用開口１３になっている。
【００２５】
また、排出用スタッカ８は、下部の左右のコーナー部に回動支点を備えており、この回動支点を中心にして約９０°の範囲に亘って上下に回動できるようになっている。また、排出用スタッカ８の裏面は、図１に示す使用状態では上面に位置するように構成されており、記録実行後の用紙Ｐを受け取る被液体噴射材受け部の一例である排出用スタッカ８の載置面１４となっている。
【００２６】
また、液晶モニタとしては図４、図５に示すように、後方に倒した水平姿勢と、上方に引き起こした起立姿勢ないし傾斜姿勢とを切り換えることのできる角度調整可能な液晶モニタ２２を採用することも可能である。また、この場合において図５に示すように液晶モニタ２２の背面側の回動基端縁と、その近傍の操作パネル７上に係合凹部２３と係合凸部２４をそれぞれ設け、これら凸部２４と凹部２３とを当接させて当該液晶モニタ２２の回動上限位置を規定することも可能である。
【００２７】
また、ハウジング本体４の前面開口の上部にはデジタルカメラ等で撮影した画像データを収録したメモリーカード等を挿入するためのメモリーカード用挿入口１５が設けられている。そして、このインクジェットプリンタ１００は、図２に示す持ち運び時の状態では外部に操作ボタン１２ａ、１２ｂ、１２ｃ、・・・１２ｎや排出用スタッカ８を拡開するための指掛け部等が一切露出しない極めてシンプルですっきりしたデザインの外観となっている。また、この状態ではインクジェットプリンタ１００を動作させることはできず、カバー部材６を拡開させ、排出用スタッカ８を拡開させるための操作ボタン１２ｃを押すことによって初めてインクジェットプリンタ１００を動作させることができるように構成されている。
【００２８】
そして、このようにして構成されるインクジェットプリンタ１００に対して用紙Ｐが供給されると、用紙Ｐは給送用開口１３から自動給送ユニット２における給送用トレイ５上に至り、図示しない給送用ローラとホッパとの挟圧送り作用によって最上位の用紙Ｐから順番に用紙搬送経路に向けて給送されるようになる。また、用紙搬送経路に給送された用紙Ｐは、記録ポジションに向けて案内され、図示しないプラテンによって下面が支持された状態で図示しない搬送用ローラからの駆動力を受けて搬送される。そして、図示しない記録ヘッドが図示しないキャリッジによって保持された状態で、液体の一例であるインクを吐出しながら主走査方向Ｘに往復する動作と、該主走査方向Ｘと直交する副走査方向Ｙ（用紙Ｐの搬送方向と一致する）に所定の搬送量で用紙Ｐを搬送する動作とを相互に繰り返すことによって、用紙Ｐの被記録面全体に亘って所望の記録が実行されるようになっている。また、記録実行後の用紙Ｐは、図示しない排出用ローラからの駆動力を受けて更に用紙搬送方向の下流側に向けて排出され、上述した拡開状態の排出用スタッカ８の載置面１４に至り、保持されるようになっている。
【００２９】
［実施例］
次に、このようなインクジェットプリンタ１００（インクジェットプリンタ２００を含む）に対して接続可能な本発明のＡＣアダプタ装置１と、該ＡＣアダプタ装置１の関連部材であるバッテリー３０、ホルダカバー３１及びホルダ部３２の構成と、これらの接続関係を図面に基づいて具体的に説明する。
【００３０】
図７はバッテリーとホルダカバーを選択して取り付けることができるホルダ部を備えたインクジェットプリンタを示す斜め後方からの分解斜視図、図８はホルダ部のコネクタソケット周辺を拡大して示す端子保護カバー突出時の斜視図（ａ）と、端子保護カバー退去時の斜視図（ｂ）である。尚図８（ｂ）では端子保護カバーが退去している状態を見やすくするためにバッテリーが省略されて描かれている。
【００３１】
本発明のＡＣアダプタ装置１は、図７に示すようにバッテリー３０とホルダカバー３１とを選択して取り付けることができるホルダ部３２を備えたインクジェットプリンタ１００に対して適用される。
【００３２】
バッテリー３０は、外観を構成するバッテリーケース３３と、バッテリーケース３３内に収容される図示しないバッテリー本体と、上記バッテリーケース３３の左右の一方の端面３４側に設けられるバッテリーロック機構３５と、上記バッテリーケース３３の左右の他方の端面３６に設けられる係止凸部を兼ねたコネクタ３７とを備えることによって基本的に構成されている。バッテリーケース３３は、左右方向に長い角箱状の部材であり、蓋部とケース本体とによって構成されている。バッテリーロック機構３５は、ホルダ部３２の一方の側端部に設けられる図示しない係止凹部に係止されるロック爪３８と、該ロック爪３８に突出傾向を付与する図示しない付勢手段とを備えることによって構成されている。また、ロック爪３８には該ロック爪３８と一体になって左右方向に移動し得るロック解除操作片３９が一体に形成されている。
【００３３】
従って、上記コネクタ３７をホルダ部３２の他方の側端部に設けられる端子４０を備えたコネクタソケット部分に押し当てて係合させ、該係合部を支点として片手操作でバッテリー３０を所定の方向に回動させるだけで簡単にバッテリー３０の着脱ができるようになっている。また、上記端子４０の周囲には一例としてコの字形断面を有する端子保護カバー４１が図示しない付勢手段によって突出傾向が付与された状態で開口部に対して出没自在に設けられている。これにより、バッテリー３０が取り付けられていない状態では、図８（ａ）に示すように端子保護カバー４１が突出して端子４０を覆って保護し、バッテリー３０が取り付けられると図８（ｂ）に示すようにコネクタ３７によって端子保護カバー４１が押し込まれて退去して端子４０が現れるようになっている。
【００３４】
ホルダカバー３１は、上記バッテリー３０を使用しない場合にホルダ部３２の開放された後面を覆って保護するための部材である。具体的には左右方向に長い矩形平板状の部材によってホルダカバー３１は構成されており、左右の一方の端面４２側にはホルダ部３２の一方の側端部に設けられる図示しない係止凹部に係止されるロック爪４３が設けられている。また、該ロック爪４３は弾性変形可能なロック解除操作片４４と一体に形成されている。また、ホルダカバー３１の他方の端面４５にはホルダ部３２の他方の側端部に設けられる図示しない係止凹部に係止される係止凸部４６が設けられている。そして、上記バッテリー３０と同様に、片手操作で簡単にホルダカバー３１はホルダ部３２に対して着脱できるようになっている。
【００３５】
ホルダ部３２は、本実施例では上記バッテリー３０の厚さの半分程度の部分を受け入れることができるような深さを有する左右方向に長い角穴状の収容空間を前記本体ケーシング３の後面の一部を凹陥させることによって形成されている。そして、ホルダ部３２の左右の側端部には上述した図示しない係止凹部が形成されており、ホルダ部３２の他方の側端部には上記端子４０と端子保護カバー４１とが設けられている。またホルダ部３２の奥端面４７の中央には左右方向に延びる係合リブ４８が設けられており、バッテリー３０使用時にバッテリー３０の裏面４９側に形成されている図示しない係合溝と係合するようになっている。
【００３６】
以下、実施例１〜４の４つの実施例を採り上げて本発明のＡＣアダプタ装置１の具体的な構成を説明する。尚、以下の説明において、実施例１〜４を区別する必要がある場合には実施例１に係るＡＣアダプタ装置を１Ａ、実施例２に係るＡＣアダプタ装置を１Ｂ、実施例３に係るＡＣアダプタ装置を１Ｃ、実施例４に係るＡＣアダプタ装置を１Ｄとして、これらを区別する。
【００３７】
＜実施例１＞
図９は本発明の実施例１に係るＡＣアダプタ装置と、その使用の態様とを併せ示す分解斜視図である。即ち、実施例１に係るＡＣアダプタ装置１Ａには、前記ホルダ部３２と同形状、同サイズで同機能をするホルダ機能部５２が設けられている。具体的にはＡＣアダプタ装置１Ａは前記バッテリー３０やホルダカバー３１より一回り大きな角箱状のアダプタケース５０を有しており、アダプタケース５０の表面５１には前記ホルダ部３２と同形状、同サイズで同機能をするホルダ機能部５２が形成されている。また、アダプタケース５０の内部には交流電圧を所定ボルトの直流電圧に変換するための図示しないアダプタ本体が設けられている。
【００３８】
また、アダプタケース５０の一方の端面５３には、２次側の接続コード５４が接続されており、該接続コード５４の先端にはインクジェットプリンタ１００における本体ケーシング３の後面に設けられている電源ジャック５５に挿し込まれる接続プラグ５６が取り付けられている。また、アダプタケース５０の他方の端面５７には、１次側の電源コード５８が接続されており、該電源コード５８の先端には家庭用の交流電源用のコンセントに挿し込まれる電源プラグ５９が取り付けられている。  
尚、当該ホルダ機能部５２は、前記ホルダ部３２に設けられている構成要素を全て備えるようにすることが好ましい。本実施例では、例えばホルダ部３２の係合リブ４８と同形状の係合リブ６０が設けられている。
【００３９】
そして、このような構成のＡＣアダプタ装置１Ａには、バッテリー３０使用時にはホルダカバー３１が、ホルダカバー３１使用時にはバッテリー３０がそれぞれ取り付けられ、ＡＣアダプタ装置１Ａ使用時には接続プラグ５６を電源ジャック５５に挿し込み、電源プラグ５９を家庭用の交流電源用のコンセントに挿し込むことによって使用できる。
【００４０】
＜実施例２＞
図１０は本発明の実施例２に係るＡＣアダプタ装置と、その使用の態様とを併せ示す分解斜視図である。即ち、実施例２に係るＡＣアダプタ装置１Ｂにはバッテリー３０を装着した状態でバッテリー３０の充電を同時に行うことができるバッテリーチャージ機能が付加されている。具体的には実施例１と同様のアダプタケース５０の内部に図示しないバッテリーチャージ機能を備えており、ホルダ機能部５２の他方の側端部にはバッテリー３０の他方の端面３６に設けられているコネクタ３７と電気的に接続される電気接点６１が設けられることによってＡＣアダプタ装置１Ｂは構成されている。尚、その他の構成については前記ＡＣアダプタ装置１Ａと同様であるので、ＡＣアダプタ装置１Ａで使用したのと同じ符号を使用し、その説明は省略する。
【００４１】
そして、このような構成のＡＣアダプタ装置１Ｂを使用する場合には、前記実施例１と同様の使用の態様をとることができ、これに加えて未使用のバッテリー３０の充電をＡＣアダプタ装置１Ｂの使用と同時に行うという使用の態様をとることも可能になる。
【００４２】
＜実施例３＞
図１１は本発明の実施例３に係るＡＣアダプタ装置と、その使用の態様とを併せ示す分解斜視図である。即ち、実施例３に係るＡＣアダプタ装置１Ｃは、前記ホルダ部３２に取り付け可能に構成されてホルダカバー３１を兼ねるように構成されている。すなわち、ＡＣアダプタ装置１Ｃは、インクジェットプリンタ１００の本体ケーシング３の後面に形成されている前記ホルダ部３２に取り付けることができるホルダカバー機能が付加されている。
【００４３】
具体的には、ＡＣアダプタ装置１Ｃは、前記バッテリー３０と同様の角箱状ないし前記ホルダカバー３１よりも肉厚の矩形平板状をしたアダプタケース６２を有しており、アダプタケース６２の一方の端面６３側にはホルダカバー３１におけるロック爪４３と同様のロック爪６４と、ホルダカバー３１におけるロック解除操作片４４と同様のロック解除操作片６５が一体に形成されている。また、アダプタケース６２の他方の端面６６にはホルダカバー３１における係止凸部４６と同様の係止凸部６７が設けられている。尚、本実施例では２次側の接続コード５４と１次側の電源コード５８は共にアダプタケース６２の表面６８に接続されており、その他の構成は前記実施例１と同様である。
【００４４】
そして、このような構成のＡＣアダプタ装置１Ｃを使用する場合には、図示のようにホルダ部３２に取り付けられていたバッテリー３０を取り外して、バッテリー３０と同様の手順でホルダ部３２にＡＣアダプタ装置１Ｃを取り付け、接続プラグ５６を電源ジャック５５に挿し込み、電源プラグ５９を家庭用の交流電源用のコンセントに挿し込むことによって使用できる。
【００４５】
これにより、ＡＣアダプタ装置１Ｃ自体をホルダカバー３１として使用することができるから、ホルダカバー３１を省略して部品点数を減らすことが可能になる。
【００４６】
＜実施例４＞
図１２は本発明の実施例４に係るＡＣアダプタ装置と、その使用の態様とを併せ示す分解斜視図である。即ち、実施例４に係るＡＣアダプタ装置１Ｄには該ＡＣアダプタ装置１Ｄをインクジェットプリンタ１００における本体ケーシング３後面のホルダ部３２に取り付けることによって自動的に当該インクジェットプリンタ１００と電気的に接続されるコネクタ６９が設けられている。基本的にはＡＣアダプタ装置１Ｄは、前記実施例３と同様の構成を有しており、実施例３に係るＡＣアダプタ装置１Ｃにおける２次側の接続コード５４と接続プラグ５６を廃し、これらの機能をコネクタ６９に担わせることによって構成されている。コネクタ６９は、バッテリー３０に設けられているコネクタ３７と一例として同形状、同サイズに形成されており、ホルダ部３２に対して設けられている端子４０をそのまま使用して接続されるようになっている。
【００４７】
そして、このような構成のＡＣアダプタ装置１Ｄを使用する場合には、図示のようにホルダ部３２に取り付けられていたバッテリー３０を取り外して、バッテリー３０と同様の手順でホルダ部３２にＡＣアダプタ装置１Ｄを取り付け、電源プラグ５９を家庭用の交流電源用コンセントに挿し込むだけで使用できる。
【００４８】
［その他の実施例］
本願発明に係るＡＣアダプタ装置１及び該ＡＣアダプタ装置１が接続可能な記録装置１００等は、以上述べたような構成を基本とするものであるが、本願発明の要旨を逸脱しない範囲内の部分的構成の変更や省略等を行なうことも勿論可能である。例えば、本発明のＡＣアダプタ装置１は、インクジェットプリンタ１００等の記録装置だけでなく、記録装置以外の他の液体噴射装置、更にはバッテリー３０とホルダカバー３１を選択して取り付けることができるホルダ部３２を備えたその他の種々の電子機器に対して適用することが可能である。また、ＡＣアダプタ装置１に対して設けられるホルダ機能やホルダカバー機能等の構成は、ＡＣアダプタ装置１中に一体に組み込むことによって構成される他、アタッチメントとして必要に応じてＡＣアダプタ装置１に接続することによって機能するように構成することも可能である。
【図面の簡単な説明】
【００４９】
【図１】本発明に係り使用時のインクジェットプリンタの外観を示す斜視図。
【図２】持ち運び時の同インクジェットプリンタの外観を示す斜視図。
【図３】バッテリー装着時の同インクジェットプリンタの外観を示す斜視図。
【図４】ＣＤドライブを搭載した同インクジェットプリンタの外観を示す斜視図。
【図５】角度調整可能な液晶パネルを搭載した操作パネルを示す斜視図。
【図６】同上、斜め後方からの斜視図。
【図７】本発明に係りバッテリーとホルダカバーを選択して取り付けることができるインクジェットプリンタを示す分解斜視図。
【図８】コネクタソケット周辺を拡大して示す端子保護カバー突出時の斜視図（ａ）と、端子保護カバー退去時の斜視図（ｂ）。
【図９】実施例１に係るＡＣアダプタ装置と、その使用の態様を示す分解斜視図。
【図１０】実施例２に係るＡＣアダプタ装置と、その使用の態様を示す分解斜視図。
【図１１】実施例３に係るＡＣアダプタ装置と、その使用の態様を示す分解斜視図。
【図１２】実施例４に係るＡＣアダプタ装置と、その使用の態様を示す分解斜視図。
【符号の説明】
【００５０】
１（１Ａ、１Ｂ、１Ｃ、１Ｄ）  ＡＣアダプタ装置、２  自動給送ユニット、３  本体ケーシング、４  ハウジング本体、５  給送用トレイ、６  カバー部材、７  操作パネル、８  排出用スタッカ、９  手提げハンドル、１０ａ、１０ｂ、１０ｃ・・・１０ｎ  窓部、１１  液晶モニタ、１２ａ、１２ｂ、１２ｃ・・・１２ｎ  操作ボタン、１３  給送用開口、１４  載置面、１５  メモリー挿入口、２１  ＣＤドライブ（外部付属装置）、２２  （角度調整可能な）液晶モニタ、２３  係合凹部、２４  係合凸部、３０  バッテリー、３１  ホルダカバー、３２  ホルダ部、３３  バッテリーケース、３４  （一方の）端面、３５  バッテリーロック機構、３６  （他方の）端面、３７  コネクタ、３８  ロック爪、３９  ロック解除操作片、４０  端子、４１  端子保護カバー、４１Ａ  開口部、４２  （一方の）端面、４３  ロック爪、４４  ロック解除操作片、４５  （他方の）端面、４６  係止凸部、４７  奥端面、４８  係合リブ、４９  裏面、５０  アダプタケース、５１  表面、５２  ホルダ機能部、５３  （一方の）端面、５４  接続コード、５５  電源ジャック、５６  接続プラグ、５７  （他方の）端面、５８  電源コード、５９  電源プラグ、６０  係合リブ、６１  電気接点、６２  アダプタケース、６３  （一方の）端面、６４  ロック爪、６５  ロック解除操作片、６６  （他方の）端面、６７  係止凸部、６８  表面、６９  コネクタ、１００  インクジェットプリンタ（記録装置）、２００  インクジェットプリンタ（記録装置）、Ｐ  用紙（被記録材）、Ｘ  主走査方向、Ｙ  副走査方向
【図１】
2007276236.tif 000003
【図２】
2007276236.tif 000004
【図３】
2007276236.tif 000005
【図４】
2007276236.tif 000006
【図５】
2007276236.tif 000007
【図６】
2007276236.tif 000008
【図７】
2007276236.tif 000009
【図８】
2007276236.tif 000010
【図９】
2007276236.tif 000011
【図１０】
2007276236.tif 000012
【図１１】
2007276236.tif 000013
【図１２】
2007276236.tif 000014